(57)【要約】【課題】立て掛けたとき、後側に水が溜まることを防止し、又外周部分や床面等の汚れを軽減できるようにする。【解決手段】浴槽１から取り外して浴室内に立て掛けて使用する風呂蓋であって、立て掛け時に接地する脚５を、外周部分に突起状に複数設ける。この場合、脚５は、先端に向かって先細り状に形成するのが好ましい。【選択図】      図１
2004275320.tif 000002
【特許請求の範囲】
【請求項１】
浴槽から取り外して浴室内に立て掛けて使用する風呂蓋であって、立て掛け時に接地する脚が、外周部分に突起状に複数設けられていることを特徴とする風呂蓋。
【請求項２】
請求項１記載の風呂蓋であって、脚が、先端に向かって先細り状に形成されていることを特徴とする風呂蓋。
【請求項３】
請求項１又は２記載の風呂蓋であって、脚の先端の接地面にネジ孔が凹段差状に形成され、このネジ孔にネジ頭を収容させたネジで脚が外周部分に止め付けられていることを特徴とする風呂蓋。
【請求項４】
請求項１乃至３の何れかに記載の風呂蓋であって、幅の狭い板材が並列に且つ互いに屈曲自在に連結されて巻蓋式に形成され、巻き始めと巻き終わり部分にあたる少数の板材の両端に脚が設けられていることを特徴とする風呂蓋。
【請求項５】
請求項１乃至４の何れかに記載の風呂蓋であって、脚が、高硬度のゴムで形成されていることを特徴とする風呂蓋。
【発明の詳細な説明】
【０００１】
【発明の属する技術分野】
本発明は、浴槽の付属品としての風呂蓋に関し、更に詳しくは浴槽のフランジに載せられて浴槽の開口面を覆って塞ぎ、浴槽から取り外したときは浴室内の適宜位置に立て掛けて使用する形式の風呂蓋に関するものである。
【０００２】
【従来の技術】
従来この種の風呂蓋としては、例えば上下の面材と、両面材の間の内側に部分的に介装した補強用芯材とで本体部分を形成し、周縁を保護するエッジプロテクターの内側部分を所定形状に形成し、この内側部分を本体部分の周囲の凹部空間に嵌め入れ、エッジプロテクターを本体部分に取り付けてなるものがある（例えば特許文献１参照）。
又従来、本体部分とエッジプロテクターとで形成すると共に、洗い場の床面等に置いたときの衝撃を緩和するため、エッジプロテクターの外側縁周辺に、緩衝用の膨出部を形成したものも知られている（例えば特許文献２参照）。
【０００３】
【特許文献１】
特開平１０ー１１７９５７号公報
【特許文献２】
特開平１１ー３２９３０号公報
【０００４】
【発明が解決しようとする課題】
従来、風呂蓋は、入浴時に浴槽から取り外し、浴室の洗い場の隅など、入浴に邪魔にならない箇所に立て掛けて使用することが多い。この場合従来品は、上記の通り、外周部分のエッジプロテクターで、洗い場の床面等との衝撃を緩和できるものの、外周部分が洗い場の床面にべたに接触するものであった。
従って従来品を使用すると、立て掛けられている風呂蓋の後側に排水が回り込むと、外周部分が堰となって水捌けが悪くなり、この後側箇所に水が溜ったり、又外周部分や床面等が水垢で汚れ易くなる、という問題点があった。
【０００５】
本発明は、このような従来の問題点に鑑み、提案されたものである。
従って本発明の技術的課題は、立て掛けたとき、後側に水が溜まることを防止でき、又外周部分や床面等の汚れを軽減できるよう形成した風呂蓋を提供することにある。
【０００６】
【課題を解決するための手段】
本発明は、上記の課題を解決するために、次のような技術的手段を採る。
【０００７】
即ち本発明は、図１等に示されるように、浴槽１から取り外して浴室内に立て掛けて使用する風呂蓋であって、立て掛け時に接地する脚５が、外周部分に突起状に複数設けられていることを特徴とする（請求項１）。
【０００８】
本発明の風呂蓋は、浴室内の適宜位置に立て掛けて使用するものであれば、平板状の一枚板で形成されている場合には限られず、その他例えば二枚、三枚等に分割されているのでも、或いは巻蓋式に形成されているのでも良い。又本発明の場合、脚５は外周部分の少なくとも一辺の適宜位置に、複数形成されているのであれば良く、その形成個数や形成間隔は任意である。
【０００９】
この場合、脚５は、先端に向かって先細り状に形成されているのが好ましい（請求項２）。
【００１０】
なぜならこれによると、接地面５ａが小さくなり、その分、水捌けが良くなるからである。又これによると、接地面５ａが小さくなる分、水垢等による汚れが目立たなくなり、掃除の頻度を低減できるからである。
【００１１】
又本発明は、脚５の先端の接地面５ａにネジ孔５ｂが凹段差状に形成され、このネジ孔５ｂにネジ頭６ａを収容させたネジ６で脚５が外周部分に止め付けられているのが好ましい（請求項３）。
【００１２】
なぜならこの場合は、脚５を外周部分に簡単、低コストで後付けが可能になるからである。但し本発明の場合、脚５は外周部分に接着されるのでも、或いは外周部分と一体状に成形加工されるのでも良い。
【００１３】
又本発明は、例えば図１１に示されるように、幅の狭い板材７が並列に且つ互いに屈曲自在に連結されて巻蓋式に形成され、巻き始めと巻き終わり部分にあたる少数の板材７の両端に脚５が設けられているのでも良い（請求項４）。
【００１４】
この本発明の場合は、図面上、左右どちら側から巻いても、巻かれた後、芯部と外側の箇所に脚５が配置される。そしてこのうち外側の箇所の脚５が、本発明品を斜めに立て掛けたとき、床面２に接地するから、これによると巻き始めの位置に制約を受けることなく（巻き始めの位置を間違えても）、少数の脚５で水捌けできるものである。又この場合は、浴槽１に載置したとき、脚５が浴槽１の端に配置されるから、蓋の取り外し等に、脚５が支障を及ぼすことがない、という利点がある。
【００１５】
又本発明の場合、脚５は、高硬度のゴムで形成されているのが好ましい（請求項５）。
【００１６】
なぜならこれによると、洗い場の床面２等に立て掛けたとき、床面２との衝撃を脚５で緩和でき、しかも支持力を高く維持できるからである。
【００１７】
【発明の実施の形態】
以下、本発明の好適な一実施形態を添付図面に従って説明する。
【００１８】
本発明品は、図１、図３に示されるように、浴槽１の開口面を覆って塞ぎ、浴槽１から取り外して浴室内の洗い場の床面２等に立て掛けて使用する風呂蓋である。この実施形態の本発明品は、本体部３が一枚の平板で形成され、この本体部３の周囲に、周囲を保護するためのエッジプロテクター４が設けられている。
【００１９】
５は、立て掛け時に接地する、例えば硬質エラストマー等の高硬度のゴム製の脚である。この脚５は、外周部分に突起状に、この実施形態では一辺の両側に夫々一個づつ設けられている。又この脚５は、図１、図２等に示されるように、先端に向かって先細り状に形成されている。
【００２０】
又この実施形態の本発明品では、脚５の先端の接地面５ａに、ネジ孔５ｂが凹段差状に形成されている。６は、脚５を外周部分に止め付けるためのネジである。このネジ６は、ネジ孔５ｂにネジ頭６ａを収容させ、エッジプロテクター４を介して本体部３に止め付けられている。
【００２１】
本発明品は、このように形成されているため、図３に示されるように、例えば洗い場の床面２に置かれると、脚５の高さＨの分、床面２との間に隙間Ｓが形成される。従って本発明品の後側に例えば排水が回り込んでも、隙間Ｓを介して排水され、後側の箇所に水が溜まることがない。又脚５は、この実施形態では高硬度のゴムで形成されている。従ってこの実施形態の本発明品では、洗い場の床面２等に本発明品を立て掛けたときの衝撃は脚５で緩和、吸収され、しかも堅固に支持される。
【００２２】
以上の処において、本発明の風呂蓋は、図４、図６に示されるように、二分割、又は三分割等、複数のプレートで形成されているのでも良い。又本発明は、図８から図１１に示されるように、幅の狭い板材７が並列に且つ互いに屈曲自在に連結されて巻蓋式に形成されているのでも良い。この巻蓋式の場合は、外周部分である板材７の端部に脚５が設けられ、脚５が外周部分に例えば一定の間隔をあけて複数設けられることになる。
【００２３】
巻蓋式の場合も脚５は、図８、図９等に示されるように、接地面５ａが小さくなるよう、先端に向かって先細り状に形成されているのが良い。又脚５は、図１０に示されるように、一定の間隔をあけて板材７の例えば両端に形成されるのでも、或いは図１１に示されるように、巻き始めと巻き終わり部分にあたる少数の板材７の両端にだけ設けられているのでも良い。
【００２４】
図１１に示される本発明品の場合は、図面上、左右どちら側から巻かれても、巻かれた後、芯部と外側の箇所に脚５が配置される。そしてこのうち外側に配置される脚５が、本発明品を壁面等に凭せ掛けて斜めに立て掛けたとき、床面２に接地する。従ってこの本発明品によると、少数の脚５で水捌けでき、又浴槽１に載せたとき脚５が浴槽１の端に配置されるから、蓋の取り外し等に脚５が支障を及ぼすことがない。
【００２５】
【発明の効果】
以上説明したように本発明は、浴槽から取り外して浴室内に立て掛けて使用する風呂蓋であって、立て掛け時に接地する脚を、外周部分に突起状に複数設けているものである。
従って本発明品の場合は、浴室内に立て掛けたとき、脚によって床面との間に隙間を形成できるから、これによれば後側に水が溜まることを防止でき、又外周部分が床面等にべたに接触しないから、水垢等による汚れが目立たなくなり、外周部分や床面の掃除の頻度を低減できる。
【図面の簡単な説明】
【図１】本発明の風呂蓋の好適な一実施形態を示し、Ａは平面図、ＢはＡのＢ−Ｂ線拡大断面図である。
【図２】脚を示し、Ａは正面図、Ｂは平面図、Ｃは右側面図である。
【図３】同上風呂蓋の立て掛け時の状態を示す一部を切欠した要部正面図である。
【図４】二枚のプレートでなる本発明品の例を示す平面図である。
【図５】Ａは図４の本発明品の要部拡大平面図、ＢはＡのＢ−Ｂ線拡大断面図である。
【図６】三枚のプレートでなる本発明品の例を示す平面図である。
【図７】Ａは図６の本発明品の要部拡大平面図、ＢはＡのＢ−Ｂ線拡大断面図である。
【図８】巻蓋式の本発明品の例を示す要部斜視図である。
【図９】図８の本発明品の脚を示し、Ａは正面図、Ｂは平面図、Ｃは右側面図である。
【図１０】巻蓋式の本発明品における脚の取付例を示す平面図である。
【図１１】巻蓋式の本発明品における脚の他の取付例を示す平面図である。
【符号の説明】
１    浴槽
２    洗い場の床面
３    本体部
４    エッジプロテクター
５    脚
６    ネジ
７    幅の狭い板材
Ｈ    脚の高さ
Ｓ    隙間
【図１】
2004275320.tif 000003
【図２】
2004275320.tif 000004
【図３】
2004275320.tif 000005
【図４】
2004275320.tif 000006
【図５】
2004275320.tif 000007
【図６】
2004275320.tif 000008
【図７】
2004275320.tif 000009
【図８】
2004275320.tif 000010
【図９】
2004275320.tif 000011
【図１０】
2004275320.tif 000012
【図１１】
2004275320.tif 000013